(57)【特許請求の範囲】
【請求項１】
適宜設定されるモードに基づいて室内空調機を作動させることで各居室毎に室温を制御可能な室内空調システムであって、
室温を検知する第１の室温センサと、第１の設定温度を設定入力可能な操作部と、を少なくとも有し、前記第１の室温センサ及び前記操作部用電源の入り状態において、前記第１の設定温度に対する前記第１の室温センサで検知された温度に基づいて作動する室内空調機と、
居室が利用状態であるか若しくは非利用状態であるかを判別する判別手段と、
前記室内空調機の前記第１の室温センサ及び前記操作部用電源を入り状態若しくは切り状態にする電源入切部と、
室温を検知する第２の室温センサと、
所定の上限温度及び／または下限温度からなる第２の設定温度を設定可能な温度設定手段と、
前記判別手段、前記電源入切部、前記第２の室温センサ、及び前記温度設定手段が接続された制御部と、
を備え、
前記電源入切部は、前記制御部による制御に基づき、
前記判別手段により居室の利用状態が判別された時点において、
前記第１の設定温度に対する前記第１の室温センサで検知された温度に基づいて作動する室内空調機の前記第１の室温センサ及び前記操作部用電源を入り状態にし、
前記判別手段により居室の非利用状態が判別された時点において、
前記第２の室温センサにより検知された温度が、前記温度設定手段により設定された上限温度を下回っている場合、若しくは下限温度を上回っている場合は、前記第１の設定温度に対する前記第１の室温センサで検知された温度に基づいて作動する室内空調機の前記第１の室温センサ及び前記操作部用電源を切り状態にし、前記第２の室温センサにより検知された温度が、前記温度設定手段により設定された上限温度を上回っている場合、若しくは下限温度を下回っている場合は、前記第１の設定温度に対する前記第１の室温センサで検知された温度に基づいて作動する室内空調機の前記第１の室温センサ及び前記操作部用電源を入り状態にすることを特徴とする室内空調システム。
【請求項２】
前記第１の室温センサ及び前記操作部用電源を入り状態若しくは切り状態に切替可能な切替部を有する前記室内空調機と、
前記制御部と、から成り、
前記室内空調機と前記制御部とが、信号線を介して接続されていることを特徴とする請求項１に記載の室内空調システム。
【請求項３】
前記制御部に、前記室内空調機の前記第１の室温センサ及び前記操作部用電源の切り状態を継続するタイマが接続されており、
前記制御部は、
前記判別手段により居室の非利用状態が判別された時点において、
前記室内空調機の前記第１の室温センサ及び前記操作部用電源を切り状態にした時点から前記タイマにより設定された設定時間経過した時点まで、前記第２の室温センサに優先して、前記第１の室温センサ及び前記操作部用電源の切り状態を継続し、該設定時間の経過後、前記第２の室温センサに基づいて制御する切り状態継続制御を行うことを特徴とする請求項２に記載の室内空調システム。
【請求項４】
前記制御部に、前記室内空調機の前記第１の室温センサ及び前記操作部用電源の入り状態を継続するタイマが接続されており、
前記制御部は、
前記判別手段により居室の非利用状態が判別された時点において、
前記室内空調機の前記第１の室温センサ及び前記操作部用電源を入り状態にした時点から前記タイマにより設定された設定時間経過した時点まで、前記第２の室温センサに優先して、前記第１の室温センサ及び前記操作部用電源の入り状態を継続し、該設定時間の経過後、前記第２の室温センサに基づいて制御する入り状態継続制御を行うことを特徴とする請求項２に記載の室内空調システム。
【請求項５】
前記制御部に、前記室内空調機の前記第１の室温センサ及び前記操作部用電源の入り状態若しくは切り状態を継続するタイマが接続されており、
前記制御部は、
前記判別手段により居室の非利用状態が判別された時点において、
前記室内空調機の前記第１の室温センサ及び前記操作部用電源を切り状態にした時点から前記タイマにより設定された設定時間経過した時点まで、前記第２の室温センサに優先して、前記第１の室温センサ及び前記操作部用電源の切り状態を継続し、該設定時間の経過後、前記第２の室温センサに基づいて制御する切り状態継続制御と、
前記室内空調機の前記第１の室温センサ及び前記操作部用電源を入り状態にした時点から前記タイマにより設定された設定時間経過した時点まで、前記第２の室温センサに優先して、前記第１の室温センサ及び前記操作部用電源の入り状態を継続し、該設定時間の経過後、前記第２の室温センサに基づいて制御する入り状態継続制御と、
を繰返し反復して行うことを特徴とする請求項２に記載の室内空調システム。
【請求項６】
前記判別手段は、居室への入退室を判別する入退室センサであり、
前記第２の室温センサは、該入退室センサに設けられていることを特徴とする請求項１ないし５のいずれかに記載の室内空調システム。
【請求項７】
前記入退室センサは、居室内の入口近傍において設置されていることを特徴とする請求項６に記載の室内空調システム。
【請求項８】
室温を確認するため検知する確認用の室温センサと、
該確認用の室温センサにより検知された室温と前記第２の室温センサにより検知された室温との温度差を検出する検出部と、
を更に備え、前記温度差が所定値に満たない場合は前記第２の室温センサが正常状態であるものとし、前記温度差が所定値を超えた場合は前記第２の室温センサがエラー状態であるものとして該エラー状態を報知するようになっていることを特徴とする請求項１ないし７のいずれかに記載の室内空調システム。
【発明の詳細な説明】
【技術分野】
【０００１】
本発明は、適宜設定されるモードに基づいて室内空調機を作動させることで各居室毎に室温を制御可能な室内空調システムに関する。
【背景技術】
【０００２】
従来、例えばホテルの客室等の居室内における温度は、居室を利用している場合、各居室内に設けられた操作パネルにより設定される所定の設定温度に基づいて制御されるようになっているのが一般的である（特許文献１）。
【０００３】
【特許文献１】特開平１０−１４１７４９号公報（第３頁、第２図）
【発明の開示】
【発明が解決しようとする課題】
【０００４】
しかしながら、特許文献１にあっては、利用者が居室を利用していない場合には、室内空調機が作動しておらず、居室が外気温に近い状態となるため、利用者が居室に戻ってきた際に居室が極端に冷えていたり、または暑くなっていることがあり、居室利用の快適性に難があるといった問題があった。
【０００５】
本発明は、このような問題点に着目してなされたもので、利用者が居室を利用していない場合でも所定の温度に維持しておくことにより、利用者の入室時において快適さを与えることができる室内空調システムを提供することを目的とする。
【課題を解決するための手段】
【０００６】
上記課題を解決するために、本発明の請求項１に記載の室内空調システムは、
適宜設定されるモードに基づいて室内空調機を作動させることで各居室毎に室温を制御可能な室内空調システムであって、
室温を検知する第１の室温センサと、第１の設定温度を設定入力可能な操作部と、を少なくとも有し、前記第１の室温センサ及び前記操作部用電源の入り状態において、前記第１の設定温度に対する前記第１の室温センサで検知された温度に基づいて作動する室内空調機と、
居室が利用状態であるか若しくは非利用状態であるかを判別する判別手段と、
前記室内空調機の前記第１の室温センサ及び前記操作部用電源を入り状態若しくは切り状態にする電源入切部と、
室温を検知する第２の室温センサと、
所定の上限温度及び／または下限温度からなる第２の設定温度を設定可能な温度設定手段と、
前記判別手段、前記電源入切部、前記第２の室温センサ、及び前記温度設定手段が接続された制御部と、
を備え、
前記電源入切部は、前記制御部による制御に基づき、
前記判別手段により居室の利用状態が判別された時点において、
前記第１の設定温度に対する前記第１の室温センサで検知された温度に基づいて作動する室内空調機の前記第１の室温センサ及び前記操作部用電源を入り状態にし、
前記判別手段により居室の非利用状態が判別された時点において、
前記第２の室温センサにより検知された温度が、前記温度設定手段により設定された上限温度を下回っている場合、若しくは下限温度を上回っている場合は、前記第１の設定温度に対する前記第１の室温センサで検知された温度に基づいて作動する室内空調機の前記第１の室温センサ及び前記操作部用電源を切り状態にし、前記第２の室温センサにより検知された温度が、前記温度設定手段により設定された上限温度を上回っている場合、若しくは下限温度を下回っている場合は、前記第１の設定温度に対する前記第１の室温センサで検知された温度に基づいて作動する室内空調機の前記第１の室温センサ及び前記操作部用電源を入り状態にすることを特徴としている。
この特徴によれば、判別手段により判別される居室の非利用状態の場合でも、電源入切部が、第２の室温センサにより検知された温度と第２の設定温度との関係で空調機に電源を入り状態若しくは切り状態にし、室温を第２の設定温度近傍に維持することができるため、利用者の入室時において快適さを与えることができる。また、非利用状態において、利用者が室内に居るときに設定する第１の設定温度に対する第１の室温センサで検知された室温に基づいて作動する室内空調機の機能を利用して、第２の室温センサに基づいて室内空調機に対し電源を入切することにより、第１の設定温度よりも高い若しくは低い第２の設定温度に空調できる。
【０００７】
本発明の請求項２に記載の室内空調システムは、請求項１に記載の室内空調システムであって、
前記第１の室温センサ及び前記操作部用電源を入り状態若しくは切り状態に切替可能な切替部を有する前記室内空調機と、
前記制御部と、から成り、
前記室内空調機と前記制御部とが、信号線を介して接続されていることを特徴としている。
この特徴によれば、制御部が、判別手段、第２の室温センサ、及び温度設定手段に基づいて電源入切部を入り状態若しくは切り状態にすることで、制御部と信号線を介して接続された室内空調機の切替部を切替えることができ、簡単な構造で室内空調機に対し外部から容易且つ確実に制御できる。
【０００８】
本発明の請求項３に記載の室内空調システムは、請求項２に記載の室内空調システムであって、
前記制御部に、前記室内空調機の前記第１の室温センサ及び前記操作部用電源の切り状態を継続するタイマが接続されており、
前記制御部は、
前記判別手段により居室の非利用状態が判別された時点において、
前記室内空調機の前記第１の室温センサ及び前記操作部用電源を切り状態にした時点から前記タイマにより設定された設定時間経過した時点まで、前記第２の室温センサに優先して、前記第１の室温センサ及び前記操作部用電源の切り状態を継続し、該設定時間の経過後、前記第２の室温センサに基づいて制御する切り状態継続制御を行うことことを特徴としている。
この特徴によれば、居室の非利用状態において、制御部が、室内空調機に対する電源の切り状態をタイマによる設定時間少なくとも継続する切り状態継続制御を行うため、室内空調機に対する電源の切り状態から入り状態に切り替る頻度を少なくして、電源の切替により室内空調機に与える負荷を抑えることができる。
【０００９】
本発明の請求項４に記載の室内空調システムは、請求項２に記載の室内空調システムであって、
前記制御部に、前記室内空調機の前記第１の室温センサ及び前記操作部用電源の入り状態を継続するタイマが接続されており、
前記制御部は、
前記判別手段により居室の非利用状態が判別された時点において、
前記室内空調機の前記第１の室温センサ及び前記操作部用電源を入り状態にした時点から前記タイマにより設定された設定時間経過した時点まで、前記第２の室温センサに優先して、前記第１の室温センサ及び前記操作部用電源の入り状態を継続し、該設定時間の経過後、前記第２の室温センサに基づいて制御する入り状態継続制御を行うことを特徴としている。
この特徴によれば、居室の非利用状態において、制御部が、室内空調機に対する電源の入り状態をタイマによる設定時間少なくとも継続する入り状態継続制御を行うため、室内空調機に対する電源の入り状態から切り状態に切り替る頻度を少なくして、電源の切替により室内空調機に与える負荷を抑えることができる。
【００１０】
本発明の請求項５に記載の室内空調システムは、請求項２に記載の室内空調システムであって、
前記制御部に、前記室内空調機の前記第１の室温センサ及び前記操作部用電源の入り状態若しくは切り状態を継続するタイマが接続されており、
前記制御部は、
前記判別手段により居室の非利用状態が判別された時点において、
前記室内空調機の前記第１の室温センサ及び前記操作部用電源を切り状態にした時点から前記タイマにより設定された設定時間経過した時点まで、前記第２の室温センサに優先して、前記第１の室温センサ及び前記操作部用電源の切り状態を継続し、該設定時間の経過後、前記第２の室温センサに基づいて制御する切り状態継続制御と、
前記室内空調機の前記第１の室温センサ及び前記操作部用電源を入り状態にした時点から前記タイマにより設定された設定時間経過した時点まで、前記第２の室温センサに優先して、前記第１の室温センサ及び前記操作部用電源の入り状態を継続し、該設定時間の経過後、前記第２の室温センサに基づいて制御する入り状態継続制御と、
を繰返し反復して行うことを特徴としている。
この特徴によれば、居室の非利用状態において、制御部が、切り状態継続制御と入り状態継続制御とを、繰返し反復して行うことで、室内空調機に対する電源の入り状態と切り状態との切替頻度を更に少なくして、室内空調機に与える負荷を極力抑えることができる。
【００１１】
本発明の請求項６に記載の室内空調システムは、請求項１ないし５のいずれかに記載の室内空調システムであって、
前記判別手段は、居室への入退室を判別する入退室センサであり、
前記第２の室温センサは、該入退室センサに設けられていることを特徴としている。
この特徴によれば、第２の室温センサを居室への入退室を判別する入退室センサに設けることで、居室内に配設する室内空調システムの構成部品を集約できるため、第２の室温センサ及び入退室センサの配線や配設がし易い。
【００１２】
本発明の請求項７に記載の室内空調システムは、請求項６に記載の室内空調システムであって、
前記入退室センサは、居室内の入口近傍において設置されていることを特徴としている。
この特徴によれば、第２の室温センサが、居室内の入口近傍において設置された入退室センサに設けられ、入口近傍における温度に基づいて居室を空調できるため、非利用状態の居室に入室した際、すなわち非利用状態から利用状態に移行する際の入口近傍においても快適に過ごすことができる。
【００１３】
本発明の請求項８に記載の室内空調システムは、請求項１ないし７のいずれかに記載の室内空調システムであって、
室温を確認するため検知する確認用の室温センサと、
該確認用の室温センサにより検知された室温と前記第２の室温センサにより検知された室温との温度差を検出する検出部と、
を更に備え、前記温度差が所定値に満たない場合は前記第２の室温センサが正常状態であるものとし、前記温度差が所定値を超えた場合は前記第２の室温センサがエラー状態であるものとして該エラー状態を報知するようになっていることを特徴としている。
この特徴によれば、確認用の室温センサにより検知された室温と第２の室温センサにより検知された室温との温度差を、検出部により検出し、この温度差が０若しくは微差であることを確認することで、第２の室温センサにより検知された室温の信頼性を高めることができる。
【発明を実施するための最良の形態】
【００１４】
本発明の実施例を以下に説明する。
【実施例】
【００１５】
本発明の実施例を図面に基づいて説明すると、先ず図１（ａ）は、本発明の実施例における室内空調システムを示す構成図であり、（ｂ）は、室内空調機の室温操作パネルを示す正面図である。図２は、電源ユニットの配線の状況を示す概略図である。図３は、キーユニットを示す正面図である。図４は、スイッチ部を示す正面図である。図５は、カードキー及び室内空調機のＯＮ／ＯＦＦを示すタイミングチャートである。図６（ａ）は、カードキーが挿入されている場合の室内空調機の作動を示す構成図であり、（ｂ）は、カードキーが抜き出されている場合の室内空調機の作動を示す構成図である。図７は、室内空調機の各制御モードを示すフローチャートである。図８は、室内空調機の非利用状態モードをフローチャートである。
【００１６】
先ず、図１（ａ）に、本発明の実施例としてホテル等の室内用空調システムの全体構成が示される。本発明の居室であるホテルの客室１は、カードキーにて開錠可能な開閉扉５で入退室できる。客室１内には、バス２とデスク３とベッド４とが配設されており、バス用照明６、ベッド用照明７、デスク用照明８、及びテレビ９などの電気機器が、それぞれ電源ケーブルを介し電源ユニット１１に接続されている。
【００１７】
図１（ｂ）に示されるように、１２は、それぞれの客室１に個別に配設されるいわゆるパッケージ型の室内空調機であって、客室１の室温を検知する第１の室温センサ１４と、利用客が所望する第１の設定温度を設定入力可能な操作部としての室温操作パネル２２と、これらが接続される制御部３４と、を有し、電源の入り状態において、第１の設定温度に対する第１の室温センサ１４で検知された温度に基づいて作動し、適宜設定された風量・温度の空気を客室１内に送風するようになっている。室内空調機１２の内部構造について詳細に図示しないが、循環路を形成する流体管、この流体管の内部に熱交換流体を循環させるポンプ、送風用のファン等の各部品を有しており、これら各部品は制御部３４の制御に基づいて作動する。
【００１８】
また、図１（ａ）、（ｂ）及び図２に示されるように、室内空調機１２は、電源ユニット１１を介さずに、他の電気機器に独立して外部電源が接続されている。室内空調機１２は、電源を入り状態若しくは切り状態に切替可能な切替部３３を有し、室内空調機１２の主電源スイッチ１２ｂを操作するか、若しくは切替部３３に接点１２ａを介して信号線Ｌで接続された電源入切部１５により、切替部３３を入切できるようになっている。具体的には、キーユニット１０にカードキーが挿入され、すなわち客室１内に利用者が在室する利用状態にあって、後述のように客室１の利用者が設定した第１の設定温度に基づいて室内空調機１２が作動される場合を利用状態モードとしている。また、キーユニット１０からカードキーが抜き出され、すなわち客室１から利用者が退室する非利用状態にあって、利用者が不在の客室１を後述のように空調する場合を非利用状態モードとしている。つまり、キーユニット１０へのカードキーの抜き差しに基づいて、室内空調機１２の利用状態モード若しくは非利用状態モードが選択的に設定される。
【００１９】
図３に示されるように、キーユニット１０は、客室１が利用状態であるか若しくは非利用状態であるかを判別する判別手段として客室１への入退室を判別する入退室センサであって、客室１の入口部１ａの壁面に配設されており、前面に表示部１０ａとキー挿入部１０ｂを有し、第２の室温センサ１９が設けられている。更に、キーユニット１０の下面に、客室１の清掃時に用いるスライドスイッチ３０が設置されている。このように、第２の室温センサ１９をキーユニット１０に設けることで、客室１内に配設する室内空調システムの構成部品を集約できるため、第２の室温センサ１９及びキーユニット１０の配線や配設がし易い。
【００２０】
図２に示されるように、電源ユニット１１は、端子ｄ１〜ｄ６、端子ｅ１〜ｅ８、及び端子ｆ１〜ｆ４を備えるとともに、これら各端子が接続される制御部１３を有している。また制御部１３に、後述するタイマ２１及び確認用の室温センサ２９、温度設定手段としてのスイッチ部２０が接続されるとともに、信号線を介してキーユニット１０及び第２の室温センサ１９と連結され、また電源入切部１５により開閉可能な信号線Ｌを介して室内空調機１２と接続されている。
【００２１】
電源ユニット１１には、端子ｄ１〜ｄ４を介して外部電源が入力されており、端子ｄ１〜ｄ４にそれぞれ直接に接続される端子ｄ５，ｄ６及び端子ｅ３，ｅ４を介して、常用の電源ケーブルが配線され、客室１内の図示しないコンセント等に適宜接続され、客室１の使用・非使用に関わらず、常に電源が供給されている。また、端子ｄ２，ｄ４にそれぞれスイッチ１６、スイッチ１７を介して端子ｅ２，ｅ６が接続され、端子ｅ１，ｅ２及び端子ｅ５，ｅ６に省エネ用の電源ケーブルが客室１内に適宜配線されており、キーユニット１０にカードキーが挿入された場合に、キーユニット１０に接続された制御部１３がスイッチ１６及びスイッチ１７を閉状態とし、省エネ用の電源ケーブルに電源が供給されるようになっている。図１で示したバス用照明６、ベッド用照明７、デスク用照明８、及びテレビ９などの電気機器は、それぞれ前記省エネ用の電源ケーブルを介し電源ユニット１１に接続され、カードキーが客室１の入口部１ａの壁面に設置されたキーユニット１０に挿入された場合に、電源ユニット１１を介し電源が供給される。また、これら電気機器は、カードキーがキーユニット１０から抜き出された場合に、電源ユニット１１において電源の供給が停止される。更に、端子ｆ１，ｆ２に接続されている入口灯スイッチ３１を入切操作することにより、制御部１３を介して端子ｅ７，ｅ８に接続されている入口灯３２が、点灯若しくは消灯するようになっている。
【００２２】
次に、客室１の空調に関し、利用状態モードについて説明すると、先ず客室１の利用状態とは、キーユニット１０にカードキーが挿入されている、すなわち客室１に利用者が在室している状態のことをいう。この利用状態において設定される利用状態モードとは、客室１の利用者が室温操作パネル２２を押圧操作することで、室温を制御可能となるモードのことをいう。
【００２３】
室温操作パネル２２は、主に客室１内の壁面等に、客室利用者により操作可能に配設されており、その前面には、図１（ｂ）に示されるように、風量を設定可能に室内空調機１２を作動させるＯＮスイッチ２４と、第１の設定温度としての所望の室内温度を設定可能な温度設定スイッチ２５と、該温度設定スイッチ２５により設定された第１の設定温度を表示する設定温度表示部２６と、室内空調機１２の作動を停止するＯＦＦスイッチ２７と、を備えている。更に、ＯＮスイッチ２４は、ＬＯスイッチ２４ａ、ＨＩスイッチ２４ｂ、ＡＵＴＯスイッチ２４ｃの３種のスイッチからなる。キーユニット１０にカードキーが挿入された客室１の利用状態において、いずれかのスイッチ２４ａ〜２４ｃを押圧すれば、押圧された所定のモードで起動するようになっている。２８は作動表示ランプであり、室内空調機１２が作動状態にあるか否かが表示されるようになっている。また、ＯＦＦスイッチ２７を押圧すれば、室内空調機１２の作動は停止する。
【００２４】
また、室内空調機１２の本体に、客室１内の温度を検知する第１の室温センサ１４が設けられており、ＡＵＴＯスイッチ２４ｃが押圧操作された場合に、温度設定スイッチ２５により設定された第１の設定温度と、第１の室温センサ１４により検知された客室１内の温度とを比較し、風量を適宜変更可能に送風が成される。
【００２５】
次に、非利用状態モードについて説明すると、先ず客室１の非利用状態とは、キーユニット１０からカードキーが抜き出されている、すなわち客室１から利用者が退室している状態のことをいう。この非利用状態において設定される非利用状態モードとは、後述する条件に応じて、室内空調機１２に対し電源を入り状態にする制御、若しくは室内空調機１２に対し電源を切り状態にする制御を繰返し反復して行うことをいう。
【００２６】
本実施例の冷房季においては、予め設定した第２の設定温度である上限温度としての３０度若しくは２７度よりも客室１内の温度を低く維持するように室内空調機１２を制御するものである。冷房季における第２の設定温度は、客室の利用状態において通常所望に設定される第１の設定温度（本実施例では２４度）よりも高めで、且つ外気温よりも低めに設定されており、客室１の非利用状態においても、客室１の温度を一定程度低くして、入室の際の快適性を追求したものである。
【００２７】
尚、暖房季においては、予め設定した第２の設定温度である下限温度としての１７度若しくは２０度よりも客室１内の温度を高く維持するように室内空調機１２を制御するものである。暖房季における第２の設定温度は、客室の利用状態において通常所望に設定される第１の設定温度よりも低めで、且つ外気温よりも高めに設定されており、客室１の非利用状態においても、客室１の温度を一定程度高くして、入室の際の快適性を追求したものである。
【００２８】
以下、本実施例は冷房季であって、利用状態モードにおいて、室温操作パネル２２で設定風量「強風」及び第１の設定温度として「２４℃」を設定しているものとし、非利用状態モードにおいて、第２の設定温度である上限温度として「３０℃」を設定しているものとして説明する。
【００２９】
図４に示されるように、非利用状態モードの設定については、電源ユニット１１に設けられたスイッチ部２０において、１番スイッチをＯＮ状態にすることで冷房季における非利用状態モードを設定可能であって、この場合に、２番スイッチをＯＮ状態にすることで第２の設定温度を３０℃に設定でき、若しくは２番スイッチをＯＦＦ状態にすることで第２の設定温度を２７℃に設定できる。同様に、３番スイッチをＯＮ状態にすることで暖房季における非利用状態モードを設定可能であって、この場合に、４番スイッチをＯＮ状態にすることで第２の設定温度を１７℃に設定でき、若しくは４番スイッチをＯＦＦ状態にすることで第２の設定温度を２０℃に設定できる。
【００３０】
また、２番スイッチ及び４番スイッチをいずれもＯＦＦ状態にすることにより、非利用状態モードを実施しないことを選択することもできる。例えば、冷暖房をいずれも必要としない春季・秋季には、非利用状態モードを実施しない場合が多い。尚、スイッチ部２０は、通常ホテルの利用客からは操作不可能な箇所に配設されており、ホテルの管理者が適宜操作するように成っている。
【００３１】
次に、図５に示されるタイミングチャートにより、客室１の利用状態モード及び非利用状態モードにおける室内空調機１２の作動について説明する。
【００３２】
先ず、カードキーがキーユニット１０に挿入されているｔ０〜ｔ１の間の利用状態モードにおいては、室温操作パネル２２において設定した第１の設定温度「２４℃」に基づき室内空調機１２を作動させて空調する。ｔ１において、カードキーをキーユニット１０から抜き出すことで、非利用状態モードに移行する。ｔ１〜ｔ６の間の非利用状態モードにおいては、第２の室温センサ１９で検知された客室１内の室温に応じて、室内空調機１２が交互に電源の入り状態若しくは切り状態を繰り返し、客室１内の温度が第２の設定温度である上限温度「３０℃」を下回るように空調する。
【００３３】
ｔ１〜ｔ６の間の室内空調機１２制御について、より具体的には、それまで空調が行われていたｔ１において非利用状態モードに移行した後、ｔ１〜ｔ２において室内空調機１２の作動が停止し、客室１の温度が外気温に近づき高くなる。そして、ｔ２において、第２の室温センサ１９で検知される客室１の温度が第２の設定温度である上限温度「３０℃」を上回り、室内空調機１２が作動を開始する。
【００３４】
ｔ２において、一旦作動を開始した室内空調機１２は、第２の室温センサ１９に優先して、タイマ２１により設定された設定時間である５分間は継続して作動し、５分間経過した時点（ｔ２’）以降、客室１の温度が上限温度「３０℃」を下回る時点（ｔ３）で、停止する。このｔ２〜ｔ３における室内空調機１２を、第２の室温センサ１９に優先して継続して作動させる制御を、非利用状態モードにおける入り状態継続制御という。
【００３５】
ｔ３において、一旦作動を停止した室内空調機１２は、第２の室温センサ１９に優先して、タイマ２１により設定された設定時間である５分間は継続して停止し、５分間経過した時点（ｔ３’）以降、客室１の温度が上限温度「３０℃」を上回る時点（ｔ４）で、再び作動を開始する。このｔ３〜ｔ４における室内空調機１２を、第２の室温センサ１９に優先して継続して停止させる制御を、非利用状態モードにおける切り状態継続制御という。
【００３６】
以降、非利用状態モードにおいて入り状態継続制御（ｔ４〜ｔ５）と切り状態継続制御（ｔ５〜ｔ６）とを繰返し反復して行う。そして本実施例では、この切り状態継続制御の途中時（ｔ６）において、利用者が客室１に入室し、客室１が再び利用状態となる。
【００３７】
このように、客室１の非利用状態の場合でも、制御部１３により制御される電源入切部１５が、第２の室温センサ１９により検知された温度と第２の設定温度との関係で室内空調機１２に電源を入り状態若しくは切り状態にし、室温を第２の設定温度である上限温度「３０℃」を下回る近傍に維持することができるため、このｔ６において、利用者の入室時において快適さを与えることができる。
【００３８】
尚、暖房季においては、室内空調機１２に電源を入り状態若しくは切り状態にし、室温を第２の設定温度である下限温度「２０℃」若しくは「１７℃」を上回る近傍に維持することができる
【００３９】
更に、非利用状態における客室の温度を第２の設定温度「３０℃」を下回るように維持し、第１の設定温度「２４℃」に予め近づけることができるため、ｔ６において客室１に入室した後に、ｔ６〜ｔ７の間に示される利用状態モードにおいて、客室１の温度を所望の第１の設定温度「２４℃」に速やかに到達させることが可能となる。
【００４０】
またこのように、客室１の非利用状態において、制御部１３が、室内空調機１２に対する電源の切り状態をタイマ２１による設定時間（５分間）少なくとも継続する切り状態継続制御を行うため、室内空調機１２に対する電源の切り状態から入り状態に切り替る頻度を少なくして、電源の切替により室内空調機１２に与える負荷を抑えることができる。
【００４１】
また、客室１の非利用状態において、制御部１３が、室内空調機１２に対する電源の入り状態をタイマ２１による設定時間（５分間）少なくとも継続する入り状態継続制御を行うため、室内空調機１２に対する電源の入り状態から切り状態に切り替る頻度を少なくして、電源の切替により室内空調機１２に与える負荷を抑えることができる。
【００４２】
更に、客室１の非利用状態において、制御部１３が、切り状態継続制御と入り状態継続制御とを、繰返し反復して行うことで、室内空調機１２に対する電源の入り状態と切り状態との切替頻度を更に少なくして、室内空調機１２に与える負荷を極力抑えることができる。
【００４３】
また、第２の室温センサ１９が、客室１内の入口近傍である入口部１ａにおいて設置されたキーユニット１０に設けられ、入口部１ａにおける温度に基づいて客室１を空調できるため、非利用状態の客室１に入室した際（ｔ６）、すなわち非利用状態から利用状態に移行する際の入口部１ａにおいても快適に過ごすことができる。
【００４４】
図６（ａ）〜（ｃ）に示されるように、上記したモードの設定について、具体的に説明すると、電源ユニット１１と室内空調機１２とは信号線を介して接続され、すなわちキーユニット１０と室内空調機１２とが、モード設定手段としての制御部１３を介し接続されている。信号線が接続される端子ｆ３，ｆ４からは、それぞれｃ接点，ａ接点に配線が延びるとともに、ｃ接点とａ接点若しくはｂ接点とを選択的に切り換える電源入切部１５が設置されている。
【００４５】
そして、図６（ａ）に示されるように、キーユニット１０にカードキーＫが挿入された場合に、制御部１３が利用状態モードを設定する。すなわち、制御部１３が電源入切部１５をａ接点に接続して上記信号線を閉状態とすることで、切替部３３が閉状態となり、室内空調機１２に対し電源が入り状態となるため、室内空調機１２が室温操作パネル２２に基づいて運転可能となる。
【００４６】
また、キーユニット１０からカードキーＫが抜き出された場合に、図６（ｂ）に示されるように、制御部１３が非利用状態モードを設定する。すなわち、上述したように、タイマ２１及び第２の室温センサ１９に基づいて、制御部１３が電源入切部１５をｂ接点に接続して上記信号線を開状態とすることで、切替部３３が開状態となり、室内空調機１２に対し電源が切り状態となるため、室内空調機１２の作動制御が不可能となる。若しくは、図６（ｂ）の点線で示されるように、タイマ２１及び第２の室温センサ１９に基づいて、制御部１３が電源入切部１５をａ接点に接続して上記信号線を閉状態とすることで、切替部３３が閉状態となり、室内空調機１２に対し電源が入り状態となるため、室内空調機１２が室温操作パネル２２に基づいて運転可能となる。
【００４７】
このように、非利用状態において、利用者が客室１内に居るときに設定する第１の設定温度に対する第１の室温センサ１４で検知された室温に基づいて作動する室内空調機１２の機能を利用して、第２の室温センサ１９に基づいて室内空調機１２に対し電源を入切することにより、冷房季においては第１の設定温度よりも高い第２の設定温度に空調できる。
【００４８】
またこのように、制御部１３が、キーユニット１０、第２の室温センサ１９、及びスイッチ部２０に基づいて電源入切部１５を入り状態若しくは切り状態にすることで、制御部１３と信号線Ｌを介して接続された室内空調機１２の切替部３３を切替えることができ、簡単な構造で室内空調機１２に対し外部から容易且つ確実に制御できる。
【００４９】
次に、図７に示されるように、各モードにおける空調制御について、フローチャートにより具体的に説明すると、先ず、Ｓ１でキーユニットにカードキーが挿入された場合、Ｓ２に進み利用状態モードが選択される。この利用状態モードにおいては、客室１の利用者が室温操作パネル２２のＯＮスイッチ２４を押圧操作することで（Ｓ３）、Ｓ４に進み設定条件に対応して室内空調機１２を制御可能となり、風量を選択してＯＮスイッチ２４及び温度設定スイッチ２５を適宜押圧操作することで、所望の空調を行うことができる。当然に、ＯＦＦスイッチ２７を押圧操作することで、室内空調機１２を停止することもできる。
【００５０】
次に、Ｓ１でキーユニットからカードキーが抜き出された時点で、Ｓ５に進みスイッチ部２０の冷房季（暖房季）使用スイッチのＯＮ状態若しくはＯＦＦ状態を判定し、冷房季（暖房季）使用スイッチがＯＮ状態である場合に、非利用状態モードが選択される。このとき、上述した利用状態モードにおいて、室内空調機１２が所定の第１の設定温度若しくは所望の風量で起動している状態、若しくは室内空調機１２が起動を停止している状態に関わらず、キーユニットからカードキーが抜き出された時点で、利用状態モードから強制的に非利用状態モードに移行する。
【００５１】
図８に示されるように、非利用状態モードにおいて、まずＴ１で客室１の入口部１ａ近傍の第２の室温センサ１９により、客室１の現室温を検知する。次に、Ｔ２で検知された現室温が、予め設定された第２の設定温度に到達した時点で室内空調機１２が起動する（Ｔ３）。より具体的には、例えば冷房季において現室温が、第２の設定温度としての上限温度「３０℃」上回っている場合に、室内空調機１２が起動する。また、Ｔ２で第２の室温センサ１９により検知された現室温が第２の設定温度「３０℃」を下回っている場合には、室内空調機１２は起動せずに、Ｔ１に進み継続して第２の室温センサ１９により現室温を検知する。一般的に、適宜空調されていた利用状態モードから非利用状態モードに移行した直後には、現室温が第２の設定温度である上限温度「３０℃」を上回ることはないが、時間の経過とともに、現室温が外気温に近づくにつれ、現室温が第２の設定温度「３０℃」を上回ることになる。
【００５２】
そして、室内空調機１２の起動と同時にタイマがスタートし（Ｔ３）、Ｔ４に進み、予め設定された設定時間（５分間）の経過までは、室内空調機１２は作動し続けるように成っている。そして５分間の経過とともに、タイマがリセットされ（Ｔ５）、Ｔ６に進み第２の室温センサ１９により客室１の現室温を検知する。次に、検知された現室温が、第２の設定温度である上限温度「３０℃」を下回った時点（Ｔ７）でＴ８に進み室内空調機１２が停止する。すなわち、室内空調機１２は、設定時間（５分間）経過し、且つ、第２の室温センサ１９により検知された現室温が、第２の設定温度「３０℃」を下回る時点までは継続して作動するように成っている。上記した室内空調機１２の作動の継続に関わる制御を非利用状態モードにおける入り状態継続制御という。
【００５３】
非利用状態モードにおいて室内空調機１２から発せられる空気は、この非利用状態モードの直前の利用状態モードにおいて最後に設定された風量及び風温である。例えば、利用者が、客室１を退室する直前において室温操作パネル２２で設定風量「強風」及び第１の設定風温「２４℃」に設定していた場合、この利用者の退室後の非利用状態モードにおいて、設定風量「強風」及び設定風温「２４℃」の空気が、上記した時間発せられる。
【００５４】
続いて、Ｔ８で室内空調機１２の停止と同時にタイマがスタートし、予め設定された設定時間（５分間）の経過までは、室内空調機１２は停止し続けるように成っている（Ｔ９）。そして設定時間の経過とともに、Ｔ１０に進みタイマがリセットされ、再びＴ１に進み第２の室温センサ１９により客室１の現室温を検知する。次に、検知された現室温が、第２の設定温度である上限温度「３０℃」を上回った時点（Ｔ２）で、Ｔ３に進み再び室内空調機１２が起動する。すなわち、室内空調機１２は、設定時間（５分間）経過し、且つ、第２の室温センサ１９により検知された現室温が、再び第２の設定温度「３０℃」を上回る時点（Ｔ２）までは継続して停止するように成っている。上記した室内空調機１２の停止の継続に関わる制御を非利用状態モードにおける切り状態継続制御という。
【００５５】
以下、同様に、非利用状態モードにおいて上述した入り状態継続制御と切り状態継続制御とを繰り返し反復して実施するようになっている。尚、上述した非利用状態モードにおいて、入り状態継続制御を実施している状態、若しくは切り状態継続制御を実施している状態に関わらず、キーユニットにカードキーが挿入された時点で、非利用状態モードから強制的に利用状態モードに移行する。
【００５６】
尚、暖房季においては、上述とは逆に、第２の設定温度である下限温度「２０℃」若しくは「１７℃」を下回っている場合、室内空調機１２に対し電源が入り状態となり、この下限温度を上回っている場合、室内空調機１２に対し電源が切り状態となる。
【００５７】
次に、キーユニット１０にカードキーが挿入されていることで判別される客室１の利用状態、若しくはキーユニット１０からカードキーが抜き出されていることで判別される客室１の非利用状態が、ホテルのフロントに設けられた表示部に識別表示され、フロントにおいて客室１の利用・非利用状態を一括して把握できるようになっている。さらに、客室１内を清掃する場合に、キーユニット１０にカードキーを挿入するとともに、キーユニット１０の下面に設けられたスライドスイッチ３０を切替えることにより、上述した客室１の利用状態、若しくは非利用状態に加えて、客室１の清掃状態をも識別表示できる。
【００５８】
また、キーユニット１０に設けられた第２の室温センサ１９と同じ仕様である確認用の確認用の室温センサ２９が、電源ユニット１１内部に配設されており、第２の室温センサ１９により検知される現室温と、確認用の室温センサ２９により検知される現室温との差分を検出部としての制御部１３により算出するように成っている。そして、前記差分が、予め設定された所定値に満たない場合は第２の室温センサ１９が正常状態であるものとして、通常通りの制御を実施し、前記差分が、前記所定値を超えた場合に、第２の室温センサ１９が故障等によるエラー状態であるものとして、このエラー状態を報知できるようにすると好ましい。このように、確認用の室温センサ２９により検知された温度と第２の室温センサ１９により検知された温度との温度差を、制御部１３により検出し、この温度差が０若しくは微差であることを確認することで、第２の室温センサ１９により検知された温度の信頼性を高めることができる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、上記実施例では、冷房季においては、第２の設定温度としての上限温度「２７℃」若しくは「３０℃」を択一的に選択可能であるが、上限温度は、一般的に冷房季に設定される第１の設定温度よりも高めであれば、上述した温度に限られず、また例えば無段階に可変に設定できるものであってもよい。同様に、暖房季においては、第２の設定温度としての下限温度「１７℃」若しくは「２０℃」を択一的に選択可能であるが、下限温度は、一般的に暖房季に設定される第１の設定温度よりも低めであれば、上述した温度に限られず、また例えば無段階に可変に設定できるものであってもよい。
【００６１】
また例えば、上記実施例では、設定時間は５分間であるが、必ずしもこの時間に限られず、例えば３分間でも１０分間でもよいし、また無段階に可変に設定できるものであってもよい。更に、室内空調機の起動を継続する設定時間と、停止を継続する設定時間とが、同じ時間に限られず異なる時間であっても構わない。
【００６２】
また例えば、上記実施例では、室内空調機１２は、客室ごとに配設されるいわゆる個別タイプのパッケージ型の空調機であるが、空調機のタイプや型式についてはこれに限らず、例えばビルマルチタイプのパッケージ型の空調機であってもよいし、またファンコイル型の空調機であってもよい。
【００６３】
また例えば、第２の室温センサは、客室の適所に複数設けられており、該複数の第２の室温センサにより検知される室温の平均値を算出し、この平均値に基づいて空調を行うようにしてもよい。
【００６４】
更に、例えば室内空調機が客室の適所に複数設置されている場合には、第２の室温センサは、これら室内空調機に個別に対応するように複数設けられていてもよいし、これら室内空調機に全てに対応するように１つのみ設けられていてもよい。
【図面の簡単な説明】
【００６５】
【図１】（ａ）は、本発明の実施例における室内空調システムを示す構成図であり、（ｂ）は、室内空調機の室温操作パネルを示す正面図である。
【図２】電源ユニットの配線の状況を示す概略図である。
【図３】キーユニットを示す正面図である。
【図４】スイッチ部を示す正面図である。
【図５】カードキー及び室内空調機のＯＮ／ＯＦＦを示すタイミングチャートである。
【図６】（ａ）は、カードキーが挿入されている場合の室内空調機の作動を示す構成図であり、（ｂ）は、カードキーが抜き出されている場合の室内空調機の作動を示す構成図である。
【図７】室内空調機の各制御モードを示すフローチャートである。
【図８】室内空調機の非利用状態モードをフローチャートである。
【符号の説明】
【００６６】
１                客室
１ａ              入口部
１０              キーユニット（判別手段、入退室センサ）
１１              電源ユニット
１２              室内空調機
１３              制御部（検出部）
１４              第１の室温センサ
１５              電源入切部
１９              第２の室温センサ
２０              スイッチ部（温度設定手段）
２１              タイマ
２２              室温操作パネル（操作部）
２５              温度設定スイッチ
２９              確認用の室温センサ
３３              切替部
【図１】
0004917506.tif 000002
【図２】
0004917506.tif 000003
【図３】
0004917506.tif 000004
【図４】
0004917506.tif 000005
【図５】
0004917506.tif 000006
【図６】
0004917506.tif 000007
【図７】
0004917506.tif 000008
【図８】
0004917506.tif 000009